(57)【要約】【課題】  本発明は重い目地プレートでも地震時等にスムーズにスライド移動することができるとともに、砂等が目地プレートの下部に侵入しても、該砂等が目地プレートのスライド移動のじゃまになるのを効率よく阻止することができるとともに、目地プレート上を車両が走行しても十分な強度が得られる床用目地装置を得るにある。【解決手段】  目地部側の床面に反目地部側が傾斜面に形成された凹部と、この凹部に支持され目地部が狭くなると床面上に乗り上げる目地部を覆う目地プレートとを備える床用目地装置において、前記凹部に前記目地プレートをスムーズにスライド移動できるように支持する、該目地プレートの移動方向と直角あるいは所定の傾斜となるように所定間隔で固定された複数個の支持バー、この複数個の支持バーの上端部を除く部位の前記凹部内を覆うモルタルあるいはコンクリートとからなる目地プレート支持体を設けて床用目地装置を構成している。【選択図】  図２
2005213814.tif 000002
【特許請求の範囲】
【請求項１】
目地部側の床面に反目地部側が傾斜面に形成された凹部と、この凹部に支持され目地部が狭くなると床面上に乗り上げる目地部を覆う目地プレートとを備える床用目地装置において、前記凹部に前記目地プレートをスムーズにスライド移動できるように支持する、該目地プレートの移動方向と直角あるいは所定の傾斜となるように所定間隔で固定された複数個の支持バー、この複数個の支持バーの上端部を除く部位の前記凹部内を覆うモルタルあるいはコンクリートとからなる目地プレート支持体を設けたことを特徴とする床用目地装置。
【請求項２】
目地部側の床面に反目地部側が傾斜面に形成された凹部と、この凹部に支持され目地部が狭くなると床面上に乗り上げる目地部を覆う目地プレートとを備える床用目地装置において、前記凹部に固定された前記目地プレートをスムーズにスライド移動できるように支持する、該目地プレートの移動方向と直角あるいは所定の傾斜となるように所定間隔に配置された複数個の支持バー、この複数個の支持バーの上部を除く両端部に固定された固定バー、前記複数個の支持バーの上端部を除く部位の前記凹部内を覆うモルタルあるいはコンクリートとからなる目地プレート支持体を設けたことを特徴とする床用目地装置。
【請求項３】
目地プレートは浅皿状で先端部が傾斜面に形成された目地プレート本体と、この目地プレート本体内に上部が該目地プレート本体の上部よりも下部に位置するように設けられた所定間隔で配置された複数個の補強バーあるいは格子状の補強材とこの複数個の補強バーあるいは格子状の補強材を覆うように前記目地プレート本体内に充填されたモルタルあるいはコンクリートとで構成されていることを特徴とする請求項１、２いずれかに記載の床用目地装置。
【発明の詳細な説明】
【技術分野】
【０００１】
本発明は目地部を介して設けられた左右の躯体や建物の床目地部を覆う床用目地装置に関する。
【背景技術】
【０００２】
従来、目地部側の床面に反目地部側が傾斜面に形成された凹部と、この凹部に支持された目地部が狭くなると床面上に乗り上げる目地部を覆う目地プレートとを備える床用目地装置は、目地プレートを浅皿状の目地プレート本体内にモルタルやコンクリートを充填し、上部に化粧タイル等を設置しているため、目地プレートは重く、地震等で凹部上をスライド移動する場合に大きな抵抗となり、スムーズに移動させることができないという欠点があった。
また、目地プレート上を車両等が走行する場合には十分な強度が得られないという欠点があった。
【特許文献１】特になし
【発明の開示】
【発明が解決しようとする課題】
【０００３】
本発明は以上のような従来の欠点に鑑み、重い目地プレートでも地震時等にスムーズにスライド移動することができるとともに、砂等が目地プレートの下部に侵入しても、該砂等が目地プレートのスライド移動のじゃまになるのを効率よく阻止することができる床用目地装置を提供することを目的としている。
【０００４】
また、本発明は目地プレート上を車両が走行しても十分な強度が得られる床用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部側の床面に反目地部側が傾斜面に形成された凹部と、この凹部に支持され目地部が狭くなると床面上に乗り上げる目地部を覆う目地プレートとを備える床用目地装置において、前記凹部に前記目地プレートをスムーズにスライド移動できるように支持する、該目地プレートの移動方向と直角あるいは所定の傾斜となるように所定間隔で固定された複数個の支持バー、この複数個の支持バーの上端部を除く部位の前記凹部内を覆うモルタルあるいはコンクリートとからなる目地プレート支持体を設けて床用目地装置を構成している。
【発明の効果】
【０００７】
以上の説明から明らかなように、本発明にあっては次に列挙する効果が得られる。
【０００８】
（１）凹部に目地プレートをスムーズにスライド移動できるように支持する、該目地プレートの移動方向と直角あるいは所定の傾斜となるように所定間隔で固定された複数個の支持バー、この複数個の支持バーの上端部を除く部位の凹部内を覆うモルタルあるいはコンクリートとを設けているので、目地プレートのスライド移動は目地プレート支持体の複数個の支持バー上をスライド移動させることができる。
したがって、目地プレートのスライド移動時の抵抗が著しく低減でき、スムーズにスライド移動させることができる。
【０００９】
（２）前記(１)によって、複数個の支持バーの上端部を除く部位の凹部内をモルタルあるいはコンクリートで覆っているので、複数個の支持バーの上端部間に隙間が形成され、該隙間に砂等を侵入させることができる。
したがって、目地プレートの下部に侵入した砂等によって、目地プレートのスライド移動がスムーズにならなくなるのを効率よく阻止することができる。
【００１０】
（３）前記(２)によって、複数個の支持バーの隙間に侵入した砂等は両端部が閉じられていないので、簡単な作業で楽に排出させることができる。
【００１１】
（４）請求項２も前記(１)〜(３)と同様な効果が得られる。
【００１２】
（５）請求項３は車両等が目地プレート上を走行しても複数個の補強バーあるいは格子状の補強材および充填されたモルタルあるいはコンクリートで十分な強度が得られ、安全に使用することができる。
【発明を実施するための最良の形態】
【００１３】
以下、図面に示す本発明を実施するための最良の形態により、本発明を詳細に説明する。
【００１４】
図１ないし図８に示す本発明を実施するための最良の第１の形態において、１は目地部２を介して設けられた左右の躯体３、３間を覆う本発明の床用目地装置で、この床用目地装置１は前記左右の躯体３、３の目地部２側の床躯体３ａ、３ａに形成された左右の凹部４、４と、この左右の凹部４、４の反目地部側の端部に複数本のビス５等によって固定されたガイドパネル支持部材６、６、このガイドパネル支持部材６、６の上部に支持され複数本のビス７等によって固定されたほぼ４５度以下の角度の傾斜面８を有するガイドパネル９、９とからなる左右の目地プレートガイド部材１０、１０と、この左右の目地プレートガイド部材１０、１０が取付けられた部位を除く前記凹部４、４に所定間隔に固定された左右方向にほぼ４５度の傾斜で上端部が前記ガイドパネル９、９と同一あるいはわずかに高い位置となるように配置された複数個の支持バー１１、１１、この複数個の支持バー１１、１１の両端部の上部をのぞく部位に溶接あるいはビス等によって固定された凹部４、４の躯体３、３に複数本のビス１２等よって固定される固定バー１３、１３、前記複数個の支持バー１１の上端部を除く部位の前記凹部４、４内を覆うモルタルあるいはコンクリート１４、１４からなる左右の目地プレート支持体１５、１５と、前記左右の目地プレートガイド部材１０、１０を除く前記左右の目地プレート支持体１５、１５に両端部が左右方向にスライド移動可能に支持される目地プレート１６と、この目地プレート１６の上部両端部にヒンジ部材１７、１７を介して先端部が上下方向に回動可能に取付けられた端部カバープレート１８、１８と、前記目地プレート１６の中央部を常時前記目地部2の中央部に位置させる目地プレート中央維持機構１９とで構成されている。
【００１５】
前記目地プレート１６は図６に示すように、ステンレス材等の金属材で浅皿状に形成された目地プレート本体２０と、この目地プレート本体２０内に上部が該目地プレート本体２０の上部よりも下部に位置するように設けられた、所定間隔で左右方向に配置された複数個の補強バー２１と、この複数個の補強バー２１を覆うように前記目地プレート本体２０内に充填されたモルタルあるいはコンクリート２２と、このモルタルあるいはコンクリート２２の上部に、必要に応じて設置される化粧パネル等の化粧床材２３とで構成されている。
【００１６】
前記目地プレート中央維持機構１９は図２および図３に示すように、前記左右の目地部側の躯体３、３にほぼ水平方向に固定された一対のガイドレール２４、２４と、この一対のガイドレール２４、２４にほぼ４５度の傾斜状態でスライド移動可能に取付けられた支持アーム２５と、この支持アーム２５の中央部に上下方向にスライド移動可能に支持された上端部が、前記目地プレート１６のほぼ中央部に取付けられたスライド軸２６と、このスライド軸２６に取付けられた前記支持アーム２５で前記目地プレート１６を支持できるように介装された支持部材２７とで構成されている。
【００１７】
上記構成の床用目地装置1は地震等によって目地部２が広くなるように左右の躯体３、３が揺れ動いた場合には、図７に示すように目地プレート１６の中央部が目地部２の中央部に位置するように目地プレート中央維持機構１９で維持させる。
この時、目地プレート１６の両端部は左右の目地プレート支持体１５、１５の複数個の支持バー１１、１１上をスライド移動するため、該スライド移動時の抵抗が小さく、スムーズにスライド移動させることができる。
【００１８】
目地部2が狭くなるように左右の躯体３、３が揺れ動いた場合には、図８に示すように目地プレート１６は目地プレート中央維持機構１９で目地部２の中央部に目地プレート１６の中央部が位置するように維持されるとともに、両端部は左右の目地プレートガイド部材１０、１０のガイドパネル９、９の傾斜面８、８に沿って上方へスライド移動し、左右の躯体３、３の床躯体３ａ、３ａ上へ乗り上げて、その揺れ動きを吸収する。
なお、地震等の揺れ動きが停止すると、元の状態に自動的に戻る。
[発明を実施するための異なる形態]
【００１９】
次に、図９ないし図１９に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２０】
図９ないし図１１に示す本発明を実施するための第２の形態において、前記本発明を実施するための最良の第１の形態と主に異なる点は、複数個の支持バー１１、１１を左右方向に並列配置した左右の目地プレート支持体１５Ａ、１５Ａを用いた点で、このような目地プレート支持体１５Ａ、１５Ａを用いて構成した床用目地装置１Ａにしても、前記本発明を実施するための最良の第１の形態と同様な作用効果が得られる。
【００２１】
図１２ないし図１６に示す本発明を実施するための第３の形態において、前記本発明を実施するための最良の第１の形態と主に異なる点は、凹部４、４の躯体３、３に複数本のビス２８等によって固定することができるアングル状の複数個の支持バー１１Ａ、１１Ａを使用した左右の目地プレート支持体１５Ｂ、１５Ｂを用いるとともに、目地プレート本体２０内に格子状の補強材２９を使用した目地プレート１６Ａを用いた点で、このような左右の目地プレート支持体１５Ｂ、１５Ｂや目地プレート１６Ａを用いた床用目地装置１Ｂにしても、前記本発明を実施するための最良の第１の形態と同様な作用効果が得られる。
【００２２】
図１７ないし図１９に示す本発明を実施するための第４の形態において、前記本発明を実施するための最良の第１の形態と主に異なる点は、一方の目地部側の躯体３に目地プレート１６Ｂの後端部を支持する支持凹部３０を形成し、該支持凹部３０に目地プレート１６Ｂの後端部の両側部寄りの底面部位に形成された係止凹部３１、３１に、該目地プレート１６Ｂの先端部が上下方向に回動可能に支持するクサビ状の支持ピン３２，３２を設けた点で、このよう構成した床用目地装置１Ｃにしても、前記本発明を実施するための最良の第１の形態と同様な作用効果が得られる。
【００２３】
なお、前記本発明を実施するための各形態では左右の躯体３、３間の目地部２を覆う床用目地装置について説明したが、本発明はこれに限らず、左右の建物の目地部の床躯体間を覆うように設置しても同様な作用効果が得られる。  
【産業上の利用可能性】
【００２４】
本発明は床用目地装置を製造する産業および、該床用目地装置を設置する産業で利用される。
【図面の簡単な説明】
【００２５】
【図１】本発明を実施するための最良の第１の形態の平面図。
【図２】図１の２−２線に沿う拡大断面図。
【図３】本発明を実施するための最良の第１の形態の目地プレートを外した状態の平面図。
【図４】本発明を実施するための最良の第１の形態の目地プレートガイド部材の説明図。
【図５】本発明を実施するための最良の第１の形態の目地プレート支持体の説明図。
【図６】本発明を実施するための最良の第１の形態の目地プレートの説明図。
【図７】本発明を実施するための最良の第１の形態の目地部が広くなった動作説明図。
【図８】本発明を実施するための最良の第１の形態の目地部が狭くなった動作説明図。
【図９】本発明を実施するための第２の形態の平面図。
【図１０】図９の１０−１０線に沿う拡大断面図。
【図１１】本発明を実施するための第２の形態の目地プレートを外した状態の平面図。
【図１２】本発明を実施するための第３の形態の平面図。
【図１３】図１２の１３−１３線に沿う拡大断面図。
【図１４】本発明を実施するための第３の形態の目地プレートを外した状態の平面図。
【図１５】本発明を実施するための第３の形態の目地プレート支持体の説明図。
【図１６】本発明を実施するための第３の形態の目地プレートの説明図。
【図１７】本発明を実施するための第４の形態の平面図。
【図１８】図１７の１８−１８線に沿う拡大断面図。
【図１９】本発明を実施するための第４の形態の目地部が狭くなった動作説明図。
【符号の説明】
【００２６】
１、１Ａ、１Ｂ、１Ｃ：床用目地装置、
２：目地部、                          ３：躯体、
４：凹部、                            ５：ビス、
６：ガイドパネル支持体、              ７：ビス、
８：傾斜面、                          ９：ガイドパネル、
１０：目地プレートガイド部材、        １１、１１Ａ：支持バー、
１２：ビス、                          １３：固定バー、
１４：モルタルあるいはコンクリート、
１５、１５Ａ、１５Ｂ：目地プレート支持体、
１６、１６Ａ、１６Ｂ：目地プレート、  １７：ヒンジ部材、
１８：端部カバープレート、
１９：目地プレート中央維持機構、
２０：目地プレート本体、              ２１：補強バー、
２２：モルタルあるいはコンクリート、
２３：化粧床材、                      ２４：ガイドレール、
２５：支持アーム、                    ２６：スライド軸、
２７：支持部材、                      ２８：ビス、
２９：補強材、                        ３０：支持凹部、
３１：係止凹部、                      ３２：支持ピン。
【図１】
2005213814.tif 000003
【図２】
2005213814.tif 000004
【図３】
2005213814.tif 000005
【図４】
2005213814.tif 000006
【図５】
2005213814.tif 000007
【図６】
2005213814.tif 000008
【図７】
2005213814.tif 000009
【図８】
2005213814.tif 000010
【図９】
2005213814.tif 000011
【図１０】
2005213814.tif 000012
【図１１】
2005213814.tif 000013
【図１２】
2005213814.tif 000014
【図１３】
2005213814.tif 000015
【図１４】
2005213814.tif 000016
【図１５】
2005213814.tif 000017
【図１６】
2005213814.tif 000018
【図１７】
2005213814.tif 000019
【図１８】
2005213814.tif 000020
【図１９】
2005213814.tif 000021